(57)【要約】【課題】作業者の顔面を覆うシールド面を、容易に着脱することができる作業用ヘルメットを実現する。【解決手段】ヘルメット本体１にシールド面２を上下方向に移動させることができる隙間を保持した状態でシールド面支持板３をヘルメット本体１に固定する。シールド面支持板には、上下方向に延びる一対のガイド孔４を、シールド面２には前記ガイド孔４、４と一致する間隔で取付け孔７、７を穿設する。シールド面支持板３の内面に、シールド面支持板３のガイド孔とシールド面２の取付け孔７を貫通して両者を保持するスライド脚８を備えたロック部材９を配置することによって、シールド面２は、ロック部材のスライド脚がガイド孔に沿うように上下に移動可能となる。シールド面２には、ガイド孔４に係合するための突出部分がないため、ヘルメット本体１とシールド面支持板３の間に容易に着脱することができる。【選択図】  図３
2016011463.tif 000002
【特許請求の範囲】
【請求項１】
ヘルメット本体の中心部よりも前方の内面に、ヘルメット本体との間にシールド面を上下方向に移動させることができる隙間を保持した状態でシールド面支持板をヘルメット本体に固定し、
シールド面支持板には一定間隔を隔てて上下方向に延びる一対のガイド孔を穿設し、該ガイド孔とガイド孔の間に外表面側に多数の係止段部を形成したラック部を形成するとともに、ヘルメット本体とシールド面支持板の間に配置するシールド面には、前記一対のガイド孔と一致する位置に、貫通孔である取付け孔を穿設し、
シールド面支持板のガイド孔及びシールド面の取付け孔を貫通するスライド脚を備え、スライド脚が広がる方向の弾性を備えたロック部材をシールド面支持板の内面に配置し、ロック部材のスライド脚をシールド面支持板のガイド孔とシールド面の取付け孔を貫通させ、ロック部材のスライド脚の一部に形成した係合爪を、前記ガイド孔の側縁に係合させることによってシールド面をシールド面支持板に保持し、シールド板支持板のガイド孔に沿って自由に移動可能とするとともに、
シールド面には、シールド面の内面方向に突出し、前記ラック部の係止段部に弾性的に係合する弾性係止爪を設けたことを特徴とする作業用ヘルメットにおけるシールド面取付け構造。
【請求項２】
シールド面に形成する取付け孔は、シールド面支持板に穿設した一対のガイド孔と一致する間隔及び幅であって、ロック部材に突出形成するスライド脚が通過する長さの貫通孔とし、該取付け孔の幅方向の外側縁にスライド脚に形成した係合爪を係合させるとともに、取付け孔の内側縁にロック部材のスライド脚の内側面に形成した縦リブが嵌合する凹所を形成し、かつラック部の下方位置の左右外側縁にロック部材のスライド脚の内側面に形成した縦リブが嵌合する凹所を形成し、ラック部の下方位置において、外方に向けて広がるロック部材を内方に圧縮し、スライド脚に形成した縦リブをシールド面の取付け孔に形成した凹所と、前記ラック部の左右外側縁に形成した凹所に嵌合させてロック部材を内方に圧縮し、ロック部材を着脱可能とすることを特徴とする請求項１記載の作業用ヘルメットにおけるシールド面取付け構造。
【請求項３】
シールド面は弾性を有する透明な合成樹脂製とし、取付け孔と取付け孔の中間位置に凹形の貫通部を形成し、三方を貫通部で囲まれた突出部分の裏面にラック部の係止段部に係合する爪を突出させることによって弾性係止爪を形成することを特徴とする請求項１又は２記載の作業用ヘルメットにおけるシールド面取付け構造。
【請求項４】
ロック部材は、弾性を有する合成樹脂材で一体成型するものであって、左右の平板部と平板部の間を薄肉弾性部で連続させ、左右の平板部の表面にそれぞれスライド脚を突出させ、該スライド脚の先端部に外方に向けて係合爪を、スライド脚の内側面に縦リブを形成したものである請求項１ないし３のいずれかに記載の作業用ヘルメットにおけるシールド面取付け構造。
【請求項５】
シールド面支持板は、ヘルメット本体内面の前半部に配置され、後端縁が略垂直方向に切断される殻状であって、該シールド面支持板の後端部の左右両側を係止部でヘルメット本体に固定するとともに、後端部の上部をヘルメット本体の内面に係止部で係止される構造である請求項１ないし４のいずれかに記載の作業用ヘルメットにおけるシールド面取付け構造。
【発明の詳細な説明】
【技術分野】
【０００１】
作業用ヘルメットでは、作業者の安全のために例えば透明なシールド面で作業者の顔面を保護することが行われている。本発明は、このような作業用ヘルメットにおけるシールド面の取付け構造に関する発明である。
【背景技術】
【０００２】
作業用のヘルメットでは、作業の種類や作業環境などの条件によって、例えば合成樹脂製の透明板であるシールド面で作業者の顔面を覆って保護する構造であって、シールド面をヘルメット本体に対して出没可能とすることによって、シールド面が必要なときにのみ作業者の顔面を覆うことができる構造が工夫されている。
特許文献１には、ヘルメット本体の内面にシールド面ガイド板を配置し、シールド面ガイド板に案内溝を形成するとともに、シールド面にスライド脚を突出形成し、このシールド面のスライド脚をシールド面ガイド板の案内溝に係合させることによってシールド面を昇降可能とする発明が開示されている。
【０００３】
特許文献２には、シールド支持板にガイド孔を穿設し、このガイド孔に保護シールドに突出形成した係止突起を挿入し、ヘルメットの内側に突出する係止突起に、ダルマ孔である係止孔を設けた係止板を装着し、係止板を横方向に移動させることによって保護シールドを装着状態に維持し、係止板を横方向に移動させることによって保護シールドを取り外すことができる作業用ヘルメットにおける保護シールドの取付け構造が開示されている。
【先行技術文献】
【特許文献】
【０００４】
【特許文献１】特開２０１１−８９２１６号公報
【特許文献２】特開２０１２−６２６０１号公報
【発明の概要】
【発明が解決しようとする課題】
【０００５】
特許文献１や２に記載された発明は、シールド面にスライド脚や係止突起を一体に突出成型し、この突起物をシールド面支持板に形成したガイド孔やスライド溝に挿入させて、シールド面(保護シールド)のスライド構造を完成させている。シールド面は、これを取付けるときに、シールド面支持板とヘルメット本体の間の隙間を通過させて取付ける必要がある。したがって、特許文献１や２に記載された従来の作業用ヘルメットでは、ヘルメット本体に装着するシールド面支持板は、ヘルメット本体内面との間に、シールド面に形成した突起物を通過させることができる隙間を保持した状態に固定する必要がある。また、ヘルメット本体のシールド面支持板との間にシールド面を挿入するときに、突出部分が邪魔になって、シールド面の着脱が困難になる可能性があるという欠点があった。
【０００６】
上記、従来技術の欠点に鑑み、本発明は、シールド面自体にスライド脚のような比較的大きな突起を形成することなく、ヘルメット本体の内面とシールド板支持板との隙間をできるだけ少なく、取扱いが容易であるとともに、ヘルメットの内面を有効に利用することができる、換言すればヘルメット本体の大きさをそれだけ小さくすることができる、作業用ヘルメットを実現することを目的とするものである。
【課題を解決するための手段】
【０００７】
請求項１記載の発明は、ヘルメット本体１の中心部よりも前方の内面に、ヘルメット本体１との間にシールド面２を上下方向に移動させることができる隙間を保持した状態でシールド面支持板３をヘルメット本体１に固定する。
シールド面支持板３には一定間隔を隔てて上下方向に延びる一対のガイド孔４、４を穿設し、該ガイド孔４と４の間に外表面側に多数の係止段部６を形成したラック部５を形成するとともに、ヘルメット本体１とシールド面支持板３の間に配置するシールド面２には、前記一対のガイド孔４、４と一致する位置に、貫通孔である取付け孔７を穿設する。
シールド面支持板３のガイド孔４及びシールド面２の取付け孔７を貫通するスライド脚８を備え、スライド脚８が広がる方向の弾性を備えたロック部材９をシールド面支持板３の内面に、配置する。そして、ロック部材９のスライド脚８をシールド面支持板３のガイド孔４と、シールド面２の取付け孔７を貫通させ、この、ロック部材９のスライド脚８の一部に形成した係合爪10を、前記ガイド孔４の側縁に係合させることによってシールド面２をシールド面支持板３に保持し、かつガイド孔４に沿って自由に移動可能とする。
シールド面２には、シールド面２の内面方向に突出し、前記ラック部５の係止段部６に弾性的に係合する弾性係止爪11を設けたことを特徴とする作業用ヘルメットにおけるシールド面取付け構造である。
【０００８】
請求項２記載の発明は、シールド面２に形成する取付け孔７を、シールド面支持板３に穿設した一対のガイド孔４、４と一致する間隔及び幅であって、ロック部材９に突出形成するスライド脚８が通過する長さの貫通孔とする。取付け孔７の幅方向の外側縁にスライド脚８に形成した係合爪10を係合させるとともに、取付け孔７の内側縁にロック部材９のスライド脚８の内側面に形成した縦リブ12が嵌合する凹所13を形成し、かつラック部５の下方位置の左右外側縁、すなわちガイド孔４、４の内側縁にロック部材９のスライド脚８の内側面に形成した縦リブ12が嵌合する凹所14を形成する。この構成によって、ラック部５の下方位置において、外方に向けて広がるロック部材９を内方に圧縮し、スライド脚８に形成した縦リブ12をシールド面２の取付け孔７に形成した凹所13と、前記ラック部５の左右外側縁に形成した凹所14に嵌合させてロック部材９を内方に圧縮し、ロック部材９を着脱可能とすること、すなわち、シールド面２を着脱可能な状態とする。
【０００９】
請求項３記載の発明は、シールド面２は弾性を有する透明な合成樹脂製とし、取付け孔７と取付け孔７の中間位置に凹形の貫通部を形成し、三方を貫通部で囲まれた突出部分の裏面にラック部５の係止段部６に係合する爪11aを突出させることによって、前記三方を貫通部で囲まれた突出部分を弾性係止爪11を形成することである。
【００１０】
請求項４記載の発明は、ロック部材９は、弾性を有する合成樹脂材で一体成型するものであって、左右の平板部16、16の間を薄肉弾性部17で連続させ、左右の平板部表面にそれぞれスライド脚８を突出させることである。スライド脚８の先端部には、外方に向けて係合爪10を、スライド脚８の内側面に縦リブ12を形成する。
【００１１】
請求項５記載の発明は、シールド面支持板３に関し、シールド面支持板３  は、ヘルメット本体１内面の前半部に配置され、後端縁が略垂直方向に切断される殻状であって、該シールド面支持板３の後端部の左右両側を係止部18でヘルメット本体１に固定するとともに、後端部の上部をヘルメット本体１の内面に係止部19で係止される構造とすることである。
【発明の効果】
【００１２】
請求項１記載の発明によれば、表面にスライド脚のような突出物がない扁平なシールド面２を、ヘルメット本体１とシールド面支持板３の間に挿入し、シールド面支持板３の内面からロック部材９の操作によって着脱することができる。したがって、ヘルメット本体１とシールド面支持板３の隙間をできるだけ小さくしてヘルメット本体内部の空間を有効に利用することができる。換言すれば、同じサイズのヘルメットを製造する場合に、ヘルメット本体１の大きさを小さくすることができる。
シールド面にスライド脚が突出したものである場合、スライド脚がガイド溝に係合している状態では、ヘルメット本体１とシールド面支持板３との間に大きな隙間を必要としないが、シールド面を着脱するときにヘルメット本体１とシールド面支持板の間に突出部分が通過する隙間を必要とする。これに対して、本発明ではシールド面にスライド脚が存在しないため、ヘルメット本体１とシールド面支持板３の間にスライド脚が通過する大きな隙間を必要としないものである。
【００１３】
請求項２記載の発明によれば、シールド面支持板３をヘルメット本体１に装着した状態で、下端開口部のヘルメット本体１とシールド面支持板３の間に、シールド面２の上端部を挿入してロック部材９を内方に圧縮し、ガイド孔４の凹所14とシールド面２の取付け孔７の凹所13の位置を合わせることによってロック部材９のスライド脚８をシールド面支持板３のガイド孔４と、シールド面２の取付け孔７を通過させて装着することができる。  スライド脚８を差し込んで、ガイド孔４と取付け孔７を通過させた状態でロック部材９の圧縮を解放すると、ロック部材９の弾発力によってスライド脚８、８の間隔が広がり、スライド脚８の係合爪10がシールド面の取付け孔７の外側縁に係合する。この状態で、シールド面２を上方に移動させると、係合爪10がガイド孔４に係合した状態でロック部材の縦リブ12がガイド孔４の内側縁に当接して、シールド面２を上下方向に移動させることができる。すなわち、シールド面２は、脱落することなく上下動可能となる。
【００１４】
請求項３記載の発明によれば、シールド面２に形成する弾性係止爪11を、シールド面２と一体に形成し、弾性係止爪11を改めて加工する必要がない。
また、請求項４記載の発明によれば、スライド脚８が広がる方向の弾性を備えたロック部材９を、合成樹脂材の一体成型品で合理的な構造で実施することができ、当該部品を安価に提供することができる。
請求項５記載の発明によれば、シールド面２を支えるシールド面支持板３を、ヘルメット本体１に対して三点支持によってしっかりと、安定的に支持し装着することができる。
【図面の簡単な説明】
【００１５】
【図１】図１は、本発明の実施形態を示すものであって、シールド面を収納した状態のヘルメット全体の縦断面図、
【図２】図２は、シールド面を下げた状態のヘルメット全体の縦断面図、
【図３】図３は、ヘルメット本体の一部を切断除去して示すヘルメット全体の斜視図、
【図４】図４は、シールド面支持板にシールド面をロック部材で組み立てた正面斜視図、
【図５】図５は、シールド面とシールド面支持板を組み立てた、背面斜視図、
【図６】図６は、シールド面支持板の正面斜視図、
【図７】図７は、シールド面の正面斜視図、
【図８】図８は、図７の取付け孔部分の拡大図、
【図９】図９は、ロック部材の正面図及び斜視図、
【図１０】図１０は、シールド面にロック部材を装着した状態の正面斜視図、
【図１１】図１１は、図１０の取付け孔部分の拡大図である。
【発明を実施するための形態】
【００１６】
以下、本発明に係る作業用ヘルメットにおけるシールド面取付け構造の実施形態を添付の図面に基づいて説明する。
図１は、シールド面を収納した状態のヘルメット全体の縦断面図、図２は、シールド面を下げた状態のヘルメット全体の縦断面図、図３は、ヘルメット本体の一部を切断除去して示すヘルメット全体の斜視図、図４は、シールド面支持板にシールド面をロック部材で組み立てた正面斜視図である。
【００１７】
本発明に係る作業用ヘルメットは、安全のために作業者の顔面前方を覆うシールド面２を設ける。シールド面２は、例えば合成樹脂製の透明なシールドレンズであって、作業の支障とならないもので、例えば飛散物から作業者の顔面を保護するためのものである。作業内容によって、シールド面を必要としない場合は、シールド面をヘルメット本体の内部に押し込んで使用する。
【００１８】
図１、図２に示すように、帽体であるヘルメット本体１の中心部よりも前方部分の内面に沿う形で略殻状のシールド面支持板３をヘルメット本体１に装着する。シールド面支持板３は、ヘルメット本体１との間にシールド面２を自由に上下動させることができる隙間を保持した状態に固定している。
シールド面支持板３は、ヘルメット本体１内面の前半部に配置され、後端縁が略垂直方向に切断される殻状である。このシールド面支持板３は、後端部の左右両側を係止部18、18でヘルメット本体１に固定するとともに、後端部の上部をヘルメット本体１の内面上部に係止部19で係止する。左右両側の係止部は、別のロックピンなどの固定具(図示していない)で固定するとともに、ヘルメット本体１の内面上部の係止部19は、シールド面支持板３の一部である係止部19をヘルメット本体内面に係合させておくことによってしっかりと固定することができる。
【００１９】
シールド面支持板３は、図６に示すように、正面中央部に定間隔を隔てて上下方向に延びる一対のガイド孔４、４を穿設し、ガイド孔４とガイド孔４の間の外表面側に多数の係止段部６、６を設けたラック部５を形成している。ガイド孔４、４の下部の内側縁には、それぞれ半円弧状の凹所14、14を形成している。
【００２０】
一方、シールド面２は例えば弾性を有する透明な合成樹脂製とし、図７に示すように顔面を覆うことができる湾曲形状であって、前記シールド面支持板３に沿った形状としている。シールド面２の上部には、シールド面支持板３に設けたガイド孔４、４の間隔と一致する間隔を隔てて、方形の貫通孔である取付け孔７、７を穿設している。取付け孔７、７の内側縁には、ガイド孔４、４の下部に設けた凹所14、14と、上下方向に一致する位置に凹所13、13を形成している。
取付け孔７と７の中間位置には、凹形の貫通部15を形成し、三方を貫通部で囲まれた突出部分の裏面にラック部５の係止段部６に係合する爪11aを突出させることによって弾性係止爪11を形成している。
【００２１】
シールド面２とシールド面支持板３は、ロック部材９によって上下方向に移動可能な状態に装着される。すなわち、シールド面支持板３はヘルメット本体１に固定されるものであるため、シールド面２がヘルメット本体１から出没することになる。
ロック部材９は、弾性を有する合成樹脂材で一体成型で製することができる。ロック部材９は、図９に示すように左右に位置する略方形の平板部16、16を弾性変形が可能な薄肉弾性部17で連続させている。この構造によって、平板部を内側に押圧し、薄肉弾性部を圧縮して薄肉弾性部17の弾性によって外方に向けて付勢されるように作用させることができる。平板部16の裏面には、前記シールド板２に形成した取付け孔に挿入することができるスライド脚８を突出させている。
【００２２】
スライド脚８は、比較的薄い肉厚である厚みｔであって、長さはシールド面２の取付け孔７に挿入することができる長さとする。スライド脚８の内側面の中心位置には、高さｈ(突出寸法)の縦リブ12を形成するとともに、外側面にはスライド脚の先端部分に、突出幅Ｘの係合爪10を形成する。スライド脚８の、係合爪10の厚みを除く突出寸法はｌとする。
スライド脚８の前記寸法t＋ｈは、シールド面２の取付け孔７の幅Ｗ及びシールド面支持板３のガイド孔４の幅Ｗと略同一であって、ガイド孔４に沿って移動可能とすると同時に、係合爪10が突出寸法Ｘによって取付け孔７の外側縁に係合して、ロック爪９が脱落しないものとする。このとき、薄肉弾性部17の弾性によってスライド脚８が、常時外方に付勢されることによって、より確実にロック部材９の脱落を防止することができる。
【００２３】
本発明に係る作業用ヘルメットにおいて、シールド面２を装着するには、ヘルメット本体１の下方から、シールド面２の上端部分をヘルメット本体１とシールド面支持板３の隙間に差し込み、シールド面２に形成した取付け孔７の凹所13を、シールド面支持板３のガイド孔４に形成した凹所14に位置合わせをし、ヘルメットの内面、すなわちシールド面支持板３の内面からガイド孔４の下部位置にある凹所14にロック部材９のスライド脚を挿入する。ロック部材９は、平板部を左右から押し縮めることによって、スライド脚８の縦リブ12を凹所13と14を通過させ、係合爪10がシールド面２を通過した状態でロック部材９の内方への圧縮力を解除する。すなわち、ロック部材９を手指で左右から押圧しながら挿入し、スライド脚８が通過したときに手指の押圧を解除すると、ロック部材９が広がり、係合爪10がガイド孔４の外側縁部分に係合すると同時に、スライド脚８内側の縦リブ12の、凹所13、14との係合が外れる。この状態では、係合爪10がシールド面支持板３のガイド孔４に係合し、シールド面２がシールド面支持板３から外れることがない状態で上下方向に自由に移動することが可能である。
ロック部材９のスライド脚８は、シールド面支持板３のガイド孔４と、シールド面２の取付け孔７を貫通するものであるため、スライド脚の長さ、具体的には係合爪10の厚みを除く突出寸法ｌは、シールド面支持板３とシールド面２が重ねられた厚みとほぼ一致する寸法であって、多少の余裕を持たせた長さとする。これにより、シールド面２を円滑に移動させることができる。
【００２４】
シールド面支持板３の表面には、複数の係止段部６を備えたラック部５を形成している。一方、シールド面２には、横コ字状の貫通部15によって、弾性係止爪11が形成されている。弾性係止爪11の裏面には、前記ラック部５の係止段部６に係合する爪11aが形成されている。
シールド面２は、全体を弾性を有する合成樹脂材によって成型することによって、裏面に突出する弾性係止爪11の爪11aが、一定の力で係止段部６に係合する状態を実現することができる。したがって、手によって上下方向に移動させたシールド面２を、移動させた所定位置に停止させ、また、手によって所望の位置に移動させてその位置に停止させることができる。したがって、シールド面を出し入れしながら能率的に作業を進めることができるようにすることができる。
【００２５】
ヘルメットには、顎紐やハンモックなどの内装部品を取付けて使用する。図示実施形態の作業用ヘルメットでは、後部内装部品係止部19をヘルメット本体１の後半部に一体成型し、前部内装部品係止部20をシールド面支持板３の内面に一体成型によって形成している。
【符号の説明】
【００２６】
１…ヘルメット本体、  ２…シールド面、  ３…シールド面支持板、  ４…ガイド孔、  ５…ラック部、  ６…係止段部、  ７…取付け孔、  ８…スライド脚、  ９…ロック部材、  10…係合爪、  11…弾性係止爪、  11a…爪、  12…縦リブ、  13、14…凹所、  15…貫通部、  16…平板部、  17…薄肉弾性部、  18…係止部、  19…後部内装部品係止部、  20…前部内装部品係止部。
【図１】
2016011463.tif 000003
【図２】
2016011463.tif 000004
【図３】
2016011463.tif 000005
【図４】
2016011463.tif 000006
【図５】
2016011463.tif 000007
【図６】
2016011463.tif 000008
【図７】
2016011463.tif 000009
【図８】
2016011463.tif 000010
【図９】
2016011463.tif 000011
【図１０】
2016011463.tif 000012
【図１１】
2016011463.tif 000013
【手続補正書】
【提出日】平成26年8月25日(2014.8.25)
【手続補正１】
【補正対象書類名】明細書
【補正対象項目名】０００４
【補正方法】変更
【補正の内容】
【０００４】
【特許文献１】特開２０１１−８９２１９号公報
【特許文献２】特開２０１２−６２６０１号公報                                                                      以上